(57)【要約】【課題】画像読取装置を記録装置の鉛直方向上方に重ねて配置する場合にも、装置全体の高さを低減することができる複合機を提供する。【解決手段】複合機１１は、記録媒体Ｓ１に記録を行う記録装置２１と、記録装置２１の鉛直方向上方に重ねて配置される画像読取装置３１とを備える。画像読取装置３１は、原稿Ｓ２を読み取る読取部と、読取部を搭載して鉛直方向Ｚと交差する走査方向Ｘに走査する読取キャリッジ４２と、読取キャリッジ４２を走査させるための駆動源４５と、駆動源４５の鉛直方向下方に配置されて、記録装置２１の構成要素の一例である装着部２３と鉛直方向Ｚにおいて少なくとも一部が重なるように配置される駆動源収容部４０と、を有し、駆動源収容部４０は、鉛直方向Ｚ及び走査方向Ｘの双方と交差する奥行方向Ｙにおいて、装着部２３と並ぶ位置に配置される。【選択図】図５
2015079040.tif 000002
【特許請求の範囲】
【請求項１】
記録媒体に記録を行う記録装置と、前記記録装置の鉛直方向上方に重ねて配置される画像読取装置とを備える複合機であって、
前記画像読取装置は、原稿を読み取る読取部と、前記読取部を搭載して鉛直方向と交差する走査方向に走査する読取キャリッジと、前記読取キャリッジを走査させるための駆動源と、前記駆動源の鉛直方向下方に配置されて、前記記録装置の構成要素と鉛直方向において少なくとも一部が重なるように配置される駆動源収容部と、を有し、
前記駆動源収容部は、鉛直方向及び前記走査方向の双方と交差する方向において、前記構成要素と並ぶ位置に配置されることを特徴とする複合機。
【請求項２】
前記画像読取装置は前記読取キャリッジの走査を案内する案内レールを備え、
鉛直方向及び前記走査方向の双方と交差する方向が前記読取キャリッジの長手方向である場合に、前記駆動源収容部は、前記長手方向において前記読取キャリッジの端部と前記案内レールとの間に配置されることを特徴とする請求項１に記載の複合機。
【請求項３】
前記画像読取装置は、
前記案内レールに沿って前記走査方向に並ぶ２つの従動プーリーと、
前記長手方向において前記２つの従動プーリーよりも前記読取キャリッジの端部側に配置され、前記駆動源の駆動力によって回転する駆動プーリーと、
前記駆動プーリー及び前記２つの従動プーリーに巻き架けられて、前記読取キャリッジを牽引する無端状のベルトと、を備え、
前記読取キャリッジは、前記２つの従動プーリーの間で前記ベルトに固定されることを特徴とする請求項２に記載の複合機。
【請求項４】
前記駆動プーリーは、前記２つの従動プーリーのうちの一方である第１従動プーリーよりも、前記２つの従動プーリーのうちの他方である第２従動プーリーに近い位置に配置され、
前記走査方向において、前記駆動プーリーの前記ベルトが巻き架けられる外周面は、前記第２従動プーリーの外周面よりも、前記第１従動プーリーから離れた位置にあることを特徴とする請求項３に記載の複合機。
【請求項５】
前記記録装置及び前記画像読取装置を一体化した装置本体を備え、
前記駆動源収容部は、前記装置本体の前記走査方向における一端側に配置されることを特徴とする請求項１から請求項４のうちいずれか一項に記載の複合機。
【請求項６】
前記記録装置は、鉛直方向及び前記走査方向の双方と交差する奥行方向において前記構成要素よりも手前に開閉可能に取り付けられた開閉部を備え、
前記駆動源収容部は前記奥行方向において前記構成要素よりも奥に配置されることを特徴とする請求項１から請求項５のうちいずれか一項に記載の複合機。
【請求項７】
前記構成要素は、前記記録媒体に記録を行う液体を収容する収容体を着脱可能に装着する装着部であることを特徴とする請求項１から請求項６のうちいずれか一項に記載の複合機。
【発明の詳細な説明】
【技術分野】
【０００１】
本発明は、例えばフラットベッド型スキャナーなどの画像読取装置とプリンターなどの記録装置とが一体に組み合わされた複合機に関する。
【背景技術】
【０００２】
従来から、記録紙などの記録媒体に画像を形成する画像形成装置（記録装置）の鉛直方向上方に、原稿の画像を読み取るセンサーを搭載して走査する読取キャリッジと、同読取キャリッジを走査させるための駆動モーターとを有する画像読取装置を重ねて配置した複合機がある（例えば特許文献１）。
【先行技術文献】
【特許文献】
【０００３】
【特許文献１】特開２００４−１３３１５１号公報
【発明の概要】
【発明が解決しようとする課題】
【０００４】
ところで、上記複合機においては、画像形成装置と画像読取装置とを鉛直方向に重ねているために、装置全体の高さが嵩んでしまうという問題がある。そして、画像読取装置を構成する部材の中では、特に駆動モーターが大きいために、駆動モーターを収容するためのスペースを確保しつつ、装置全体の高さを低減することが課題になる。
【０００５】
本発明は、上記課題を解決するためになされたものであり、その目的は、画像読取装置を記録装置の鉛直方向上方に重ねて配置する場合にも、装置全体の高さを低減することができる複合機を提供することにある。
【課題を解決するための手段】
【０００６】
以下、上記課題を解決するための手段及びその作用効果について記載する。
上記課題を解決する複合機は、記録媒体に記録を行う記録装置と、前記記録装置の鉛直方向上方に重ねて配置される画像読取装置とを備える複合機であって、前記画像読取装置は、原稿を読み取る読取部と、前記読取部を搭載して鉛直方向と交差する走査方向に走査する読取キャリッジと、前記読取キャリッジを走査させるための駆動源と、前記駆動源の鉛直方向下方に配置されて、前記記録装置の構成要素と鉛直方向において少なくとも一部が重なるように配置される駆動源収容部と、を有し、前記駆動源収容部は、鉛直方向及び前記走査方向の双方と交差する方向において、前記構成要素と並ぶ位置に配置される。
【０００７】
この構成によれば、駆動源収容部を記録装置の構成要素と鉛直方向において少なくとも一部が重なるように配置することによって、駆動源の収容スペースを記録装置と重なる位置に確保することができる。また、駆動源収容部は、鉛直方向及び走査方向の双方と交差する方向において、記録装置の構成要素と並ぶ位置に配置されるので、同構成要素との干渉が回避される。したがって、画像読取装置を記録装置の鉛直方向上方に重ねて配置する場合にも、駆動源収容部と記録装置の構成要素とが重なる分、装置全体の高さを低減することができる。
【０００８】
上記複合機において、前記画像読取装置は前記読取キャリッジの走査を案内する案内レールを備え、鉛直方向及び前記走査方向の双方と交差する方向が前記読取キャリッジの長手方向である場合に、前記駆動源収容部は、前記長手方向において前記読取キャリッジの端部と前記案内レールとの間に配置される。
【０００９】
この構成によれば、案内レールを読取キャリッジの長手方向における中心付近に配置して読取キャリッジの走査を安定させることができるとともに、長手方向において読取キャリッジの端部と案内レールとの間に駆動源収容部を配置するスペースを確保することができる。
【００１０】
上記複合機において、前記画像読取装置は、前記案内レールに沿って前記走査方向に並ぶ２つの従動プーリーと、前記長手方向において前記２つの従動プーリーよりも前記読取キャリッジの端部側に配置され、前記駆動源の駆動力によって回転する駆動プーリーと、前記駆動プーリー及び前記２つの従動プーリーに巻き架けられて、前記読取キャリッジを牽引する無端状のベルトと、を備え、前記読取キャリッジは、前記２つの従動プーリーの間で前記ベルトに固定される。
【００１１】
この構成によれば、２つの従動プーリーの間で走査方向に張設されたベルトに読取キャリッジを固定することによって、ベルトに牽引される読取キャリッジの傾きを抑制することができる。
【００１２】
上記複合機において、前記駆動プーリーは、前記２つの従動プーリーのうちの一方である第１従動プーリーよりも、前記２つの従動プーリーのうちの他方である第２従動プーリーに近い位置に配置され、前記走査方向において、前記駆動プーリーの前記ベルトが巻き架けられる外周面は、前記第２従動プーリーの外周面よりも、前記第１従動プーリーから離れた位置にある。
【００１３】
この構成によれば、駆動プーリーのベルトが巻き架けられる外周面を、第２従動プーリーの外周面よりも第１従動プーリーから離れた位置に配置することで、駆動プーリーを２つの従動プーリーの間に配置する場合よりも、駆動プーリーに対するベルトの巻き架け距離が長くなる。したがって、駆動プーリーに対するベルトの滑りを抑制して、駆動源の駆動力を効率よくベルトに伝達することができる。
【００１４】
上記複合機は、前記記録装置及び前記画像読取装置を一体化した装置本体を備え、前記駆動源収容部は、前記装置本体の前記走査方向における一端側に配置される。
この構成によれば、駆動源収容部を装置本体の走査方向における一端側に寄せて配置することによって、記録装置の内部構成や構成要素の配置を大きく変更することなく、装置本体内において駆動源の収容スペースを確保することができる。
【００１５】
上記複合機において、前記記録装置は、鉛直方向及び前記走査方向の双方と交差する奥行方向において前記構成要素よりも手前に開閉可能に取り付けられた開閉部を備え、前記駆動源収容部は前記奥行方向において前記構成要素よりも奥に配置される。
【００１６】
記録装置の構成要素を奥行方向の奧側に配置すると、装置の奥側から構成要素のメンテナンスを行うことになり、メンテナンス作業を行う際の作業性が悪くなるおそれがある。その点、上記構成によれば、駆動源収容部は奥行方向において記録装置の構成要素よりも奥に配置されるので、開閉部を開閉させることによって、記録装置の前側から構成要素のメンテナンス作業等を行うことができる。
【００１７】
上記複合機において、前記構成要素は、前記記録媒体に記録を行う液体を収容する収容体を着脱可能に装着する装着部である。
この構成によれば、駆動源収容部を装着部と鉛直方向において少なくとも一部が重なるように配置することによって、駆動源の収容スペースを記録装置と重なる位置に確保することができる。また、駆動源収容部は、鉛直方向及び走査方向の双方と交差する方向において装着部と並ぶ位置に配置されるので、装着部との干渉が回避される。
【図面の簡単な説明】
【００１８】
【図１】一実施形態の複合機の斜視図。
【図２】開閉部を開いた状態の複合機の斜視図。
【図３】複合機の概略構成を示す断面図。
【図４】画像読取装置の内部構成を示す平面図。
【図５】複合機の内部構成を一部断面で示す側面図。
【発明を実施するための形態】
【００１９】
以下、複合機の実施形態について、図を参照して説明する。
複合機は、例えば記録装置の一例であるインクジェット式のプリンターの鉛直方向上方に画像読取装置の一例であるフラットベッド型のスキャナーを重ねて配置したものである。
【００２０】
図１に示すように、本実施形態の複合機１１は、記録装置２１と、記録装置２１の鉛直方向上方に重ねて配置される画像読取装置３１とを備えている。記録装置２１は、例えば液体の一例であるインクを用紙などの記録媒体Ｓ１に噴射することで印刷（記録）を行う。
【００２１】
複合機１１において、記録装置２１及び画像読取装置３１を一体化した装置本体１２の奥行方向Ｙにおける手前側には、複合機１１を操作するための操作パネル１３が前方に向けて突設されている。操作パネル１３には、例えばメニュー画面等を表示するための表示部や操作ボタンなどを配置することができる。
【００２２】
装置本体１２の奥行方向Ｙにおける奧側には、記録媒体Ｓ１を挿入するための開口部（図示略）を覆うカバー部材１４が設けられている。装置本体１２の前面側には、操作パネル１３の下方となる位置に、記録媒体Ｓ１を排出するための排出部１５が設けられている。
【００２３】
装置本体１２の前面側には、鉛直方向Ｚにおいて操作パネル１３と排出部１５との間となる位置に、開閉部１６が開閉可能に取り付けられている。また、装置本体１２の下部には、複数の記録媒体Ｓ１を積層した状態で収容する収容カセット１７が着脱可能に装着される。
【００２４】
図２に示すように、記録装置２１は、記録媒体Ｓ１に記録を行う液体を収容する収容体２２を着脱可能に装着する装着部２３を備えている。装着部２３は、本実施形態における記録装置２１の構成要素の一例である。なお、装着部２３は、単に収容体２２を入れるためのケース部分のみを指すものではなく、装着部２３に装着された収容体２２に対する接続部や、収容体２２内の液体を導出するための液体流路や、収容体２２に収容された液体の残量を検知するための残量検知機構などの構成も含むものとする。
【００２５】
装着部２３は、奥行方向Ｙにおける手前に向けて開口している。また、開閉部１６は、装置本体１２に対して、構成要素である装着部２３よりも奥行方向Ｙにおける手前に開閉可能に取り付けられている。そして、装着部２３は、開閉部１６を図１に示す閉位置から図２に示す開位置に変位させるとその開口部が露出して、複合機１１の手前側から収容体２２を着脱可能な状態になる。
【００２６】
収容体２２の交換や装着部２３の清掃などのメンテナンス作業を行う場合には、開閉部１６を開位置に配置して、装着部２３に前方から作業を行う。また、収容体２２の交換等のメンテナンス作業が終わった場合には、開閉部１６を開位置から閉位置に戻す。
【００２７】
図３に示すように、記録装置２１は、記録媒体Ｓ１に記録を行う記録部２４と、収容体２２に収容された液体を記録部２４に供給する供給路２５と、液体を受容する記録媒体Ｓ１を支持する支持部２８とを備えている。記録部２４は、装置本体１２の長手方向（図３では左右方向）に沿って往復移動する記録用キャリッジ２６と、記録用キャリッジ２６に保持された噴射部２７とを備えている。なお、装着部２３は、装置本体１２の長手方向における一端側（図３では左端側）に配置されている。
【００２８】
記録用キャリッジ２６は、印刷を行わないときなどには長手方向における他端側（図３では右端側）に設定されるホーム位置に停止する。そして、記録用キャリッジ２６の移動領域においてホーム位置の鉛直方向下方には、噴射部２７のメンテナンスを行うためのメンテナンス装置２９が配置されている。
【００２９】
画像読取装置３１は、例えば合成樹脂によって形成される有底箱状の読取部ケース３２と、読取部ケース３２の上側開口部に嵌め込まれた原稿台３３及び読取台３４と、原稿台３３及び読取台３４を固定するための枠部材３５と、背面側に設けられたヒンジ３６を介して装置本体１２に回動可能に取り付けられた開閉体３７とを備えている。
【００３０】
原稿台３３及び読取台３４は、例えば四角板状の透明ガラスとすることができる。読取台３４は、原稿台３３よりも装置本体１２の長手方向における長さが短く、また、装置本体１２の長手方向において原稿台３３の一方側（図３では左側）に配置されている。
【００３１】
開閉体３７は、例えば、積層された複数の原稿Ｓ２を一枚ずつ反転させながら読取台３４上に給送するオートドキュメントフィーダーである。開閉体３７には、原稿台３３に載置された原稿Ｓ２を押さえるための原稿押さえ白板３８が取り付けられている。なお、開閉体３７は、原稿押さえ白板３８を備えた板状の蓋部材にしてもよい。そして、開閉体３７がオートドキュメントフィーダーとして機能しない蓋部材である場合には、読取台３４を備えなくてもよい。
【００３２】
読取部ケース３２の底部には、装置本体１２の長手方向に延びる案内レール４１が突設されている。また、読取部ケース３２内には読取キャリッジ４２が収容されている。読取キャリッジ４２は、案内レール４１に対する係合部４３を有して、係合部４３を介して案内レール４１に支持されている。読取キャリッジ４２は、原稿台３３に載置された原稿Ｓ２を読み取る読取部４４を搭載している。読取部４４は、例えば密着型のイメージセンサーである。
【００３３】
読取キャリッジ４２は、案内レール４１に案内されることによって、装置本体１２の長手方向となる走査方向Ｘに沿って往復走査する。なお、読取キャリッジ４２の案内レール４１に対する係合部４３は、読取キャリッジ４２の重心付近に配置するのが好ましいため、係合部４３は読取キャリッジ４２の長手方向（図３では紙面と直交する方向となる奥行方向Ｙ）における中央付近に配置されている。
【００３４】
本実施形態において、走査方向Ｘは鉛直方向Ｚ及び奥行方向Ｙの双方と交差する方向である。また、本実施形態において、読取キャリッジ４２の走査方向Ｘは記録用キャリッジ２６の移動方向と一致する方向であるが、走査方向Ｘが記録用キャリッジ２６の移動方向と交差する構成にしてもよい。
【００３５】
図４に示すように、読取部ケース３２には、読取キャリッジ４２を走査させるための駆動源４５と、駆動源４５の駆動力を読取キャリッジ４２に伝達する伝達機構４６とが収容されている。駆動源４５は、例えば第１方向及び第１方向の逆方向となる第２方向に回転駆動可能なモーターである。そして、例えばモーターが第１方向に回転駆動すると、読取キャリッジ４２が走査方向Ｘ（図４では右方向）に往路走査する一方で、モーターが第２方向に回転駆動すると、読取キャリッジ４２が走査方向Ｘと逆方向（図４では左方向）に復路走査する。
【００３６】
なお、画像読取装置３１を構成する部材の中では、特に駆動源４５が大きいため、読取部ケース３２の底部には、上面側に駆動源４５を収容する凹部が形成された駆動源収容部４０が記録装置２１側に突出するように、下方に向けて突設されている。そして、駆動源４５は駆動源収容部４０に収容されることによって、読取キャリッジ４２と干渉しないように、読取キャリッジ４２の下方に配置される。
【００３７】
読取部ケース３２の底部には、案内レール４１と奥行方向Ｙに並ぶ位置（本実施形態では案内レール４１よりも奥側）に、走査方向Ｘに延びる補強部材としての板金部材４７が固定されている。そして、駆動源４５及び駆動源収容部４０は、奥行方向Ｙにおいて案内レール４１及び板金部材４７よりも奥側であって、装置本体１２の走査方向Ｘにおける第１端側（図４では左端側）に配置されている。なお、本実施形態では、鉛直方向Ｚ及び走査方向Ｘの双方と交差する奥行方向Ｙが読取キャリッジ４２の長手方向であり、駆動源収容部４０は、奥行方向Ｙにおいて読取キャリッジ４２の奥側の端部と案内レール４１との間に配置されている。
【００３８】
読取キャリッジ４２の奥行方向Ｙにおける両端部には、走査方向Ｘに延設される可撓性ケーブル４８の先端が接続されている。この可撓性ケーブル４８の基端は、読取部ケース３２の走査方向Ｘにおける中央付近で、読取部ケース３２の底部に固定されている。可撓性ケーブル４８は、装置本体１２内に収容された図示しない制御装置から駆動源４５や読取部４４に制御信号を送ったり、読取部４４の読取データを制御装置に送ったりするための複数の電線等が平板状に重ねられたものである。
【００３９】
読取部ケース３２の底部には、走査方向Ｘにおける中央付近から第２端（図４では右端）までの間に、可撓性ケーブル４８を収容するための一対の収容凹部４９が凹設されている。そして、読取キャリッジ４２が走査方向Ｘに沿って往復走査すると、可撓性ケーブル４８は収容凹部４９内で上下に重なるように湾曲した部分が撓み変位しつつ、読取キャリッジ４２の走査に追従する。
【００４０】
伝達機構４６は、駆動源４５の駆動力によって回転する駆動プーリー５１と、案内レール４１に沿って走査方向Ｘに並ぶよう板金部材４７の両端に配置される２つの従動プーリー５２，５３と、駆動プーリー５１及び２つの従動プーリー５２，５３に巻き架けられて読取キャリッジ４２を牽引する無端状のベルト５４とを備えている。ベルト５４は、３つのプーリー５１，５３，５３に巻き架けられることによって、プーリー５２，５３の間の第１辺部５４ａと、プーリー５１，５２の間の第２辺部５４ｂと、プーリー５１，５３の間の第３辺部５４ｃとを有する略三角形状に張設される。
【００４１】
読取キャリッジ４２は、２つの従動プーリー５２，５３の間で、案内レール４１と平行をなすように走査方向Ｘに張設されたベルト５４の第１辺部５４ａに固定されている。そして、駆動源４５が駆動すると、駆動プーリー５１が回転してベルト５４を周回移動させる。すると、周回移動するベルト５４に追従して従動プーリー５２，５３が回転するとともに、ベルト５４に固定された読取キャリッジ４２が走査方向Ｘに沿って走査する。
【００４２】
なお、読取キャリッジ４２を案内レール４１の近くでベルト５４に固定することにより、ベルト５４に牽引される読取キャリッジ４２の水平方向への傾動が抑制される。また、読取キャリッジ４２は、奥行方向Ｙにおける両端部に図３に示す原稿台３３または枠部材３５の下面に摺接する摺接部４２ａを備えることによって、鉛直方向Ｚへの傾動が抑制される。
【００４３】
駆動プーリー５１は、読取キャリッジ４２の長手方向において、２つの従動プーリー５２，５３よりも読取キャリッジ４２の端部側（奥行方向Ｙにおける奥側）に配置されているとともに、２つの従動プーリー５２，５３よりも駆動源４５の近くに配置されている。また、走査方向Ｘにおいて、駆動プーリー５１は２つの従動プーリー５２，５３のうちの一方である第１従動プーリー５２よりも、２つの従動プーリー５２，５３のうちの他方である第２従動プーリー５３に近い位置に配置されている。
【００４４】
駆動プーリー５１のベルト５４が巻き架けられる外周面は、駆動プーリー５１の近くに配置された第２従動プーリー５３の外周面よりも、第１従動プーリー５２から離れた位置にあるのが好ましい。これにより、ベルト５４は、第１辺部５４ａと第３辺部５４ｃとが鈍角をなすとともに第２辺部５４ｂと第３辺部５４ｃとが鋭角をなす三角形状に張設される。その結果、駆動プーリー５１を走査方向Ｘにおいて２つの従動プーリー５２，５３の間に配置する場合よりも、駆動プーリー５１に対するベルト５４の巻き架け距離が長くなる（すなわち、ベルト５４の巻き架け角度が大きくなる）ので、駆動プーリー５１に対するベルト５４の滑りが抑制される。
【００４５】
ただし、走査方向Ｘにおける駆動プーリー５１と第２従動プーリー５３との距離が長くなると、第２従動プーリー５３に対するベルト５４の巻き架け距離が短くなったり、装置本体１２の大型化を招いたりするため、好ましくない。そのため、駆動プーリー５１は、第２従動プーリー５３と奥行方向Ｙに並びつつ、ベルト５４が巻き架けられる外周面の径を第２従動プーリー５３よりも大きくすることで、ベルト５４が巻き架けられる部分の外周面がわずかに第１従動プーリー５２よりも走査方向Ｘの外側に配置されている。
【００４６】
なお、駆動プーリー５１は、従動プーリー５２，５３よりもベルト５４が巻き架けられる外周面の径が大きいことも、駆動プーリー５１に対するベルト５４の巻き架け距離を長くして、駆動プーリー５１に対するベルト５４の滑りを抑制することに貢献している。さらに、ベルト５４を内径側に歯部を有する歯付きベルトにするとともに、プーリー５１，５２，５３の外周面に歯部を設けて、ベルト５４のプーリー５１，５２，５３に対する滑りを抑制するようにしてもよい。
【００４７】
図５に示すように、駆動プーリー５１は、駆動源４５の出力軸に取り付けられたウォームギア５５と噛合する歯部５６を備えることにより、駆動源４５の駆動力によって回転可能な構成にすることができる。なお、駆動プーリー５１を駆動源４５の近くに配置することによって、駆動プーリー５１から駆動源４５への駆動力の伝達経路を短くして、例えば読取キャリッジ４２の加速制御や減速制御など、読取キャリッジ４２を駆動制御する際の精度を高めることが可能になる。
【００４８】
駆動源収容部４０は、駆動源４５の鉛直方向下方に配置されて、記録装置２１の構成要素である装着部２３と鉛直方向Ｚにおいて少なくとも一部が重なるように配置されている。また、駆動源収容部４０は、鉛直方向Ｚ及び走査方向Ｘの双方と交差する奥行方向Ｙにおいて、装着部２３と並ぶ位置に配置されている。
【００４９】
次に、以上のように構成された複合機１１の作用について説明する。
複合機１１においては、画像読取装置３１を構成する部材の中で特に大きい部材である駆動源４５を収容するための駆動源収容部４０を記録装置２１側に突出させることによって、装置本体１２の高さを抑制している。
【００５０】
そして、駆動源収容部４０は、記録装置２１側に突出しているものの、走査方向Ｘにおける一端側に配置されることにより、記録装置２１の走査方向Ｘにおける中央付近に配置される構成要素（例えば、記録媒体Ｓ１の搬送機構など）との干渉が回避される。また、記録装置２１において、走査方向Ｘにおける一端側には装着部２３が配置されているが、駆動源収容部４０は奥行方向Ｙにおいては装着部２３と並ぶ位置に配置されているので、駆動源収容部４０と装着部２３との干渉が回避される。
【００５１】
さらに、奥行方向Ｙにおいて駆動源収容部４０は装着部２３よりも奧に配置されるので、開閉部１６の開閉作業や装着部２３に対する収容体２２の着脱などのメンテナンス作業は、従来と変わらずに装置本体１２の前方から行うことができる。
【００５２】
また、本実施形態においては、２つの従動プーリー５２，５３を走査方向Ｘに並べているので、この従動プーリー５２，５３に巻き架けられたベルト５４の第１辺部５４ａは走査方向Ｘに張設される。そして、このように走査方向Ｘに張設されたベルト５４の第１辺部５４ａに読取キャリッジ４２を固定することによって、読取キャリッジ４２を走査方向Ｘに真っ直ぐ走査させることが可能になる。
【００５３】
また、従動プーリー５２，５３は板金部材４７に固定することにより、例えば合成樹脂製の読取部ケース３２に直接固定される場合よりも、樹脂の変形等に起因する取り付け位置の誤差や変化が抑制される。そして、こうした従動プーリー５２，５３に巻き架けたベルト５４で読取キャリッジ４２を牽引することによって、読取キャリッジ４２の加速制御や減速制御など、読取キャリッジ４２を駆動制御する際の精度を高めることが可能になる。
【００５４】
なお、案内レール４１に沿って走査方向Ｘに並ぶ２つのプーリー５２，５３のうち、一方を駆動プーリーとすることもできる。ただし、駆動力の伝達経路を短くするために駆動プーリー５１は駆動源４５の近くに配置するのが好ましい。そして、駆動源４５を駆動プーリー５１とともに案内レール４１の近くに配置しようとすると、駆動源収容部４０が案内レール４１や装着部２３と干渉してしまう。そのため、３つのプーリー５１，５２，５３のうち、駆動プーリー５１は案内レール４１から奥行方向Ｙの奥側に離れた位置に配置するのが好ましい。
【００５５】
上記実施形態によれば、以下のような効果を得ることができる。
（１）駆動源収容部４０を記録装置２１の構成要素である装着部２３と鉛直方向Ｚにおいて少なくとも一部が重なるように配置することによって、駆動源４５の収容スペースを記録装置２１と重なる位置に確保することができる。また、駆動源収容部４０は、鉛直方向Ｚ及び走査方向Ｘの双方と交差する方向において装着部２３と並ぶ位置に配置されるので、装着部２３との干渉が回避される。したがって、画像読取装置３１を記録装置２１の鉛直方向Ｚ上方に重ねて配置する場合にも、駆動源収容部４０と記録装置２１の構成要素とが重なる分、装置全体の高さを低減することができる。
【００５６】
（２）案内レール４１を読取キャリッジ４２の長手方向における中心付近に配置することで、読取キャリッジ４２の走査を安定させることができるとともに、長手方向において読取キャリッジ４２の端部と案内レール４１との間に駆動源収容部４０を配置するスペースを確保することができる。
【００５７】
（３）２つの従動プーリー５２，５３の間で走査方向Ｘに張設されたベルト５４に読取キャリッジ４２を固定することによって、ベルト５４に牽引される読取キャリッジ４２の傾きを抑制することができる。
【００５８】
（４）駆動プーリー５１のベルト５４が巻き架けられる外周面を、第２従動プーリー５３の外周面よりも第１従動プーリー５２から離れた位置に配置することで、駆動プーリー５１を２つの従動プーリー５２，５３の間に配置する場合よりも、駆動プーリー５１に対するベルト５４の巻き架け距離が長くなる。したがって、駆動プーリー５１に対するベルト５４の滑りを抑制して、駆動源４５の駆動力を効率よくベルト５４に伝達することができる。
【００５９】
（５）駆動源収容部４０を装置本体１２の走査方向Ｘにおける一端側に寄せて配置することによって、記録装置２１の内部構成や構成要素の配置を大きく変更することなく、装置本体１２内において駆動源４５の収容スペースを確保することができる。
【００６０】
（６）装着部２３を奥行方向Ｙの奧側に配置すると、装置本体１２の奥側から装着部２３のメンテナンスを行うことになり、メンテナンス作業を行う際の作業性が悪くなるおそれがある。その点、上記構成によれば、駆動源収容部４０は奥行方向Ｙにおいて装着部２３よりも奥に配置されるので、開閉部１６を開閉させることによって、装置本体１２の前側から装着部２３のメンテナンス作業等を行うことができる。
【００６１】
なお、上記実施形態は以下のように変更してもよい。
・駆動源収容部４０と奥行方向Ｙにおいて並ぶように配置される記録装置２１の構成要素は装着部２３に限らない。例えば、記録媒体Ｓ１の搬送機構や複合機１１の制御装置などの構成要素が、記録装置２１側に突出する駆動源収容部４０と奥行方向Ｙに並ぶようにしてもよい。また、例えば制御装置など、外部からの操作やメンテナンスが必要ない構成要素が駆動源収容部４０と奥行方向Ｙに並ぶ場合などには、その構成要素よりも奥行方向Ｙにおける手前に駆動源収容部４０を配置してもよい。また、記録装置２１の構成要素の配置に応じて、駆動源収容部４０の走査方向Ｘにおける配置を変更してもよい。
【００６２】
なお、駆動源収容部４０と奥行方向Ｙに並ぶ記録媒体Ｓ１の構成要素が装着部２３でない場合には、収容体２２は記録用キャリッジ２６上に着脱可能に装着されるカートリッジであってもよい。また、駆動源収容部４０と奥行方向Ｙに並ぶ構成要素が装着部２３でない場合には、記録装置２１は、インクなどの液体を噴射することで記録を行うインクジェット式のプリンターでなくてもよい。例えば、記録装置２１はレーザープリンター、ＬＥＤプリンター、熱転写プリンター（昇華型プリンターを含む）などのノンインパクトプリンターでもよいし、ドットインパクトプリンターなどのインパクトプリンターでもよい。
【００６３】
また、駆動源収容部４０と奥行方向Ｙに並ぶ記録装置２１の構成要素が装着部２３である場合であっても、記録装置２１をレーザープリンターやＬＥＤプリンターとして、記録材であるトナー等を収容した収容体２２を装着部２３に装着する構成にしてもよい。
【００６４】
・ベルト５４を２つまたは４つ以上のプーリーに巻き架けるようにしてもよい。例えば、プーリー５１を備えず、ベルト５４を２つのプーリー５２，５３に巻き架けるようにしてもよい。この場合には、例えば駆動源４５の駆動力を歯車列等の伝達機構を介して第２従動プーリー５３に伝達する構成にすれば、プーリー５２，５３を駆動源４５から離れた位置に配置することができる。
【００６５】
・読取キャリッジ４２が奥行方向Ｙに並ぶ複数の案内レール４１に支持される構成にしてもよい。この構成によれば、読取キャリッジ４２の水平方向及び鉛直方向Ｚにおける傾きを抑制することができる。そして、この構成を採用する場合には、奥行方向Ｙに並ぶ２つの案内レール４１の間に駆動源収容部４０を配置してもよいし、奥行方向Ｙにおける端部に位置する案内レール４１よりも奥側または手前側に駆動源収容部４０を配置してもよい。
【００６６】
・駆動源収容部４０と案内レール４１とは必ずしも読取部ケース３２に一体形成する必要は無く、別個の部材で形成してもよい。
・駆動源収容部４０は必ずしも駆動源４５の全体を収容する必要はなく、例えば駆動源４５の下側の一部のみを収容するものであってもよいし、駆動源４５の下端側を記録装置２１側に突出させる開口部を有するものであってもよい。
【００６７】
・読取キャリッジ４２を牽引するベルトは、一端側がプーリー５２に固定される一方で他端側がプーリー５３に固定される牽引部材に変更することもできる。この場合には、プーリー５２，５３の回転に伴って牽引部材の一端側をプーリー５２から巻き解くと同時に牽引部材の他端側をプーリー５３に巻き付けることによって、プーリー５２，５３の間に固定した読取キャリッジ４２を牽引することができる。ただし、無端状（環状）のベルト５４を複数のプーリーに巻き架ける構成の方が、ベルト５４に張力を付与した状態を保持しやすいので、好ましい。
【００６８】
・記録部２４が記録用キャリッジ２６を備えず、記録媒体Ｓ１の幅全体と対応した長尺状の固定された記録ヘッドを備える、いわゆるフルラインタイプの記録装置に変更してもよい。この場合の記録ヘッドは、ノズルが形成された複数の単位ヘッド部を並列配置することによって記録範囲が記録媒体Ｓ１の幅全体に亘るようにしてもよいし、単一の長尺ヘッドに記録媒体Ｓ１の幅全体に亘るように多数のノズルを配置することによって、記録範囲が記録媒体Ｓ１の幅全体に亘るようにしてもよい。
【００６９】
・記録に用いられる記録材は、インク以外の流体（液体や、機能材料の粒子が液体に分散又は混合されてなる液状体、ゲルのような流状体、流体として流して噴射できる固体を含む）ものであってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う構成にしてもよい。
【００７０】
また、記録装置２１は、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【００７１】
・複合機１１に備えられる記録装置２１はプリンターに限らず、例えばファクシミリや複写装置などであってもよい。また、画像読取装置３１はスキャナーに限らず、例えばカードリーダーや認証装置などであってもよい。
【符号の説明】
【００７２】
Ｘ…走査方向、Ｙ…奥行方向、Ｚ…鉛直方向、Ｓ１…記録媒体、Ｓ２…原稿、１１…複合機、１２…装置本体、１６…開閉部、２１…記録装置、２３…記録装置の構成要素の一例である装着部、３１…画像読取装置、４０…駆動源収容部、４１…案内レール、４２…読取キャリッジ、４４…読取部、４５…駆動源、５１…駆動プーリー、５２…第１従動プーリー、５３…第２従動プーリー、５４…ベルト。
【図１】
2015079040.tif 000003
【図２】
2015079040.tif 000004
【図３】
2015079040.tif 000005
【図４】
2015079040.tif 000006
【図５】
2015079040.tif 000007